(57)【要約】【課題】  物干しロープが高速で勢いよく巻き取られるのを防止することができる、安全性に優れた物干し装置を提供する。【解決手段】  本発明は、洗濯物を引っ掛けるための物干しロープ４をケーシング３から引き出し可能に構成された物干し装置１に関する。この物干し装置１は、ケーシング３と、ケーシング３の内部に回動自在に収納された物干しロープ４の巻き取りリール１０と、巻き取りリール１０の回動を巻き取り方向に付勢する付勢部材１１と、物干しロープ４の移動を人為的操作により規制及び解除可能なロック部材１２と、巻き取りリール１０の巻き取り方向Ａの回転に抵抗を付与するロータリーダンパ２２と、付勢部材１１による巻き取りリール１０の巻き取り方向Ａへの回動が妨げられない程度に、巻き取りリール１０とロータリーダンパ２２の回転軸２１とを連動連結するギア機構２５と、を備える。【選択図】図４
2013192928.tif 000002
【特許請求の範囲】
【請求項１】
洗濯物を引っ掛けるための物干しロープをケーシングから引き出し可能に構成された物干し装置であって、
前記ケーシングと、
前記ケーシングの内部に回動自在に収納された前記物干しロープの巻き取りリールと、
前記巻き取りリールの回動を巻き取り方向に付勢する付勢部材と、
前記物干しロープの移動を人為的操作により規制及び解除可能なロック部材と、
前記巻き取りリールの巻き取り方向の回転に抵抗を付与するロータリーダンパと、
前記付勢部材による前記巻き取りリールの巻き取り方向への回動が妨げられない程度に、前記巻き取りリールと前記ロータリーダンパの回転軸とを連動連結するギア機構と、
を備えていることを特徴とする物干し装置。
【請求項２】
前記ギア機構は、前記ロータリーダンパの回転軸に設けられたダンパ側ギアと、このダンパギアに噛合しかつ前記巻き取りリールに同軸心状に設けられたリール側ギアとを有しており、前記ダンパ側ギアの直径が前記リール側ギアの直径よりも大きい請求項１に記載の物干し装置。
【請求項３】
前記ロータリーダンパは、前記巻き取りリールの引き出し方向の回動に対する抵抗が、当該巻き取りリールの巻き取り方向の回動に対する抵抗よりも弱くなっている請求項２に記載の物干し装置。
【請求項４】
前記ケーシングは、前記巻き取りリールの回転軸心に沿った方向から見てほぼ矩形のボックス体よりなり、
前記ロータリーダンパは、前記ボックス体の内部のデッドスペースとなっているコーナー部分に配置されている請求項１〜３のいずれか１項に記載の物干し装置。
【発明の詳細な説明】
【技術分野】
【０００１】  本発明は、洗濯物を引っ掛けるための物干しロープをケーシングから引き出し可能に構成された物干し装置に関するものである。
【背景技術】
【０００２】  室内用の物干し装置として、例えば特許文献１に記載のものが知られている。この従来の物干し装置は、ケーシングと、ケーシングの内部に回動自在に収納された物干しロープの巻き取りリールと、巻き取りリールの回動を巻き取り方向に付勢するゼンマイバネよりなる付勢部材と、物干しロープの引き出し方向への移動を人為的操作により規制及び解除可能なロック部材とを備えている。【０００３】  上記物干し装置は、ケーシングを一方の壁面に取り付け、他方の壁面に物干しロープの端部が係合可能な受け具を取り付けるようにして使用される。
上記物干し装置によって洗濯物を干す場合には、ユーザは、ロック部材による物干しロープの移動規制を解除した状態で、ケーシングから物干しロープを引き出して受け具に物干しロープの端部を係合させ、ロック部材を操作して物干しロープの引き出し方向への移動規制を行うことにより、物干しロープを室内の壁面間に架け渡す。【０００４】  その後は、直接或いはハンガー等を介して上記物干しロープに洗濯物を引っ掛けることにより、室内での物干し作業が可能となる。
また、上記物干し装置を使用しない場合には、ユーザは、物干しロープの端部を受け具から取り外してから、ロック部材を操作して物干しロープの移動規制を解除する。すると、付勢部材により巻き取りリールが巻き取り方向に回動し、物干しロープがケーシングの内部に自動的に巻き取られて収納されるようになっている。
【先行技術文献】
【特許文献】
【０００５】
【特許文献１】  実開昭５９−１６００９１号公報
【発明の概要】
【発明が解決しようとする課題】
【０００６】  上記従来の物干し装置では、ロック部材による物干しロープの移動規制を解除すると、巻き取りリールが自由に回動可能となり、ゼンマイバネの付勢力がすべて巻き取りリールにそのまま作用する。
このため、従来の物干し装置では、物干しロープをケーシング内に収納するために物干しロープの移動規制を解除すると、高速で勢いよく巻き取られる物干しロープにユーザの手指等が当たって怪我をすることがあり、安全性に劣るという欠点がある。【０００７】  本発明は、このような従来の課題に鑑み、物干しロープが高速で勢いよく巻き取られるのを防止することができる、安全性に優れた物干し装置を提供することを目的とする。
【課題を解決するための手段】
【０００８】  本発明は、洗濯物を引っ掛けるための物干しロープをケーシングから引き出し可能に構成された物干し装置であって、前記ケーシングと、前記ケーシングの内部に回動自在に収納された前記物干しロープの巻き取りリールと、前記巻き取りリールの回動を巻き取り方向に付勢する付勢部材と、前記物干しロープの移動を人為的操作により規制及び解除可能なロック部材と、前記巻き取りリールの巻き取り方向の回転に抵抗を付与するロータリーダンパと、前記付勢部材による前記巻き取りリールの巻き取り方向への回動が妨げられない程度に、前記巻き取りリールと前記ロータリーダンパの回転軸とを連動連結するギア機構と、を備えていることを特徴とする。【０００９】  本発明によれば、上記ギア機構が、付勢部材による巻き取りリールの巻き取り方向への回動が妨げられない程度に、巻き取りリールとロータリーダンパの回転軸とを連動連結するので、物干しロープの移動規制を解除した場合でも、物干しロープが高速で勢いよく巻き取られるのが防止される。
このため、物干しロープをケーシング内に収納する際に、巻き取り途中の物干しロープにユーザの手指等が当たって怪我をするのを未然に防止することができ、安全性に優れた物干し装置を得ることができる。【００１０】  本発明において、前記ギア機構は、具体的には、前記ロータリーダンパの回転軸に設けられたダンパ側ギアと、このダンパギアに噛合しかつ前記巻き取りリールに同軸心状に設けられたリール側ギアとを有するものを採用することができる。
この場合、前記ダンパ側ギアの直径が前記リール側ギアの直径よりも大きいことが好ましい。このようにすれば、巻き取りリールの回転に対するロータリーダンパの回転数がより少なくなるので、ロータリーダンパの耐久性を向上することができる。【００１１】  一方、上記ロータリーダンパよりなる制動手段を採用する場合、巻き取りリールの引き出し方向の回動に対する抵抗が大きいと、ユーザが物干しロープを引き出すのに大きな力が必要となり、物干し装置の使い勝手が却って悪くなるという不都合が生じる。
そこで、本発明において、前記ロータリーダンパは、前記巻き取りリールの引き出し方向の回動に対する抵抗が、当該巻き取りリールの巻き取り方向の回動に対する抵抗よりも弱くなっていることが好ましい。【００１２】  このようなロータリーダンパを使用すれば、出来るだけ小さい力でユーザが物干しロープを引き出すことができ、当該ロータリーダンパを設けたことによって物干し装置の使い勝手が悪くなるのを未然に防止することができる。【００１３】  また、本発明の物干し装置において、前記ケーシングが、前記巻き取りリールの回転軸心に沿った方向から見てほぼ矩形のボックス体よりなる場合には、前記ロータリーダンパを、前記ボックス体の内部のデッドスペースとなっているコーナー部分に配置することが好ましい。
この場合、ロータリーダンパの収納スペースをケーシングに確保する必要がなくなるので、ケーシングをコンパクト化することができる。
【発明の効果】
【００１４】  以上の通り、本発明によれば、物干しロープが高速で勢いよく巻き取られるのを防止することができるので、物干し装置の安全性を向上することができる。
【図面の簡単な説明】
【００１５】
【図１】  本発明の実施形態に係る物干し装置の斜視図である。
【図２】  同物干し装置の正面図である。
【図３】  同物干し装置の平面図である。
【図４】  同物干し装置の内部構造を破線で示す側面図である。
【発明を実施するための形態】
【００１６】  以下、図面を参照しつつ、本発明の実施形態を説明する。
図１は、本発明の実施形態に係る、物干しロープを引き出した状態の物干し装置の斜視図である。また、図２は、同物干し装置の正面図であり、図３は、同物干し装置の平面図であえる。
【００１７】  〔物干し装置の構成〕
図１〜図３に示すように、本実施形態の物干し装置１は、住宅の室内の壁面に取り付けて使用されるものであり、その壁面にネジ等で取り付け可能な取付部材２と、この取付部材２に回動自在に枢着されたケーシング３と、物干しロープ４の端部を着脱自在に係合可能な受け具５（図４参照）とを備えている。
物干しロープ４は、例えば、カーボン含有ファイバの縒り線よりなり、受け具５に引っ掛け可能なほぼ短円筒状の係合体６を引き出し側端部に備えている。
【００１８】  取付部材２は、上下一対の支持フランジ８を有し、この支持フランジ８に設けた枢着ピン９をケーシング３の基端部に固定することにより、ケーシング３が取付部材２に対して上下方向の軸心回りに回動自在に枢着されている（図３の仮想線参照）。
図４に示すように、ケーシング３は、縦横方向の寸法に比べて厚さ寸法が小さい偏平なほぼ正方形状の矩形のボックス体よりなり、その内部に、物干しロープ４の巻き取りリール１０と、リール１０の回動を巻き取り方向に付勢する付勢部材１１とを備えている。
【００１９】  巻き取りリール１０は、ケーシング３の中央部に設けたリール軸１３に回動自在に設けられており、このリール軸１３にゼンマイバネよりなる前記付勢部材１１が取り付けられている。
このゼンマイバネよりなる付勢部材１１は、中心側端部がリール軸１３に固定され、かつ、外周側端部が巻き取りリール１０の内周壁に固定されており、この付勢部材１１のバネ力により巻き取りリール１０が巻き取り方向Ａに付勢されている。
【００２０】  ケーシング３の先端側上部には、物干しロープ４の移動を人為的操作により規制及び解除可能なロック部材１２が設けられている。
このロック部材１２は、接離自在な上下一対のブロック１４Ｕ，１４Ｌと、物干しロープ４をブロック１４Ｕ，１４Ｌ間で締め付けてロックする操作部材１５とからなり、上下一対のブロック１４Ｕ，１４Ｌは、ケーシング３内の先端側でかつ上部よりに上下動自在に収納されている。
【００２１】  操作部材１５は、ケーシング３の上壁部１８に上方から螺合されたねじ部材よりなり、この操作部材１５のねじ軸の下端部が上ブロック１４Ｕに回動自在に連結されている。
また、物干しロープ４は、上ブロック１４Ｕと下ブロック１４Ｌの間の対向空間を通過するようになっている。
従って、操作部材１５の頭部を締め付け方向（例えば、右回り）に回動させると、上下一対のブロック１４Ｕ，１４Ｌで物干しロープ４が挟持され、その巻き取り方向Ａ及び引き出し方向Ｂへの移動が規制されるようになっている。
【００２２】  逆に、操作部材１５の頭部を反締め付け方向（例えば、左回り）に回動させると、上下一対のブロック１４Ｕ，１４Ｌによる締め付けロープ４の挟持が解除され、その巻き取り方向Ａ及び引き出し方向Ｂへの移動が許容される。
なお、図４に示すように、ケーシング３の先端壁部１６には、前記係合体６のほぼ全体を収容可能な深さに設定された、収容凹部１７が形成されている。
【００２３】  図４に示すように、本実施形態の物干し装置１は、ケーシング３の内部に組み込まれたロータリーダンパ２２を備えている。このロータリーダンパ２２は、汎用部品として市販されているもので、矩形のケーシング３の内部における、デッドスペースとなっているコーナー部分（図４の例では、ケーシング３内の先端側かつ下部側）に配置されている。
ロータリーダンパ２２の回転軸２１には、ダンパ側ギア２３が取り付けられ、巻き取りリール１０には、ダンパ側ギア２３に噛合するリール側ギア２４が同軸心状に取り付けられている。
【００２４】  上記ロータリーダンパ２２は、円筒体と、この円筒体に挿通された回転軸２１に設けたフィン（図示せず）とを有し、円筒体内に封入した粘性流体にフィンを浸すことにより、回転軸２１の回転に抵抗を付与している。
そして、上記両ギア２３，２４のギア比は、ロータリーダンパ２２による回転抵抗が、付勢部材１１のバネ力による巻き取りリール１０の巻き取り方向Ａへ回動が妨げられない程度となるように設定されている。
【００２５】  しかして、上記ダンパ側ギア２３とリール側ギア２４は、付勢部材１１による巻き取りリール１０の巻き取り方向Ａへの回動が妨げられない程度に、巻き取りリール１０とロータリーダンパ２２の回転軸２１とを連動連結するギア機構２５を構成している。
また、本実施形態のギア機構２５では、ダンパ側ギア２３の直径がリール側ギア２４の直径よりも大きくなっている。
【００２６】  なお、本実施形態のロータリーダンパ２２は、回転軸２１の回転方向に応じて抵抗が変化するように、上記フィンの形状が設定されている。
具体的には、ロータリーダンパ２２によって付与される抵抗は、巻き取りリール１０の図４の矢印Ｂ方向（引き出し方向）の回動に対する抵抗の方が、図４の矢印Ａ方向（巻き取り方向）の回動に対する抵抗よりも小さくなっている。
【００２７】  〔物干し装置の使用方法と作用〕
上記構成に係る本実施形態の物干し装置１は、取付部材２を介してケーシング３を一方の壁面に取り付け、他方の壁面に受け具５を取り付けるようにして使用される。
かかる物干し装置１によって洗濯物を干す場合には、ユーザは、操作部材１５を緩める方向に回動させて物干しロープ４の移動規制を解除し、この状態で、ケーシング３から物干しロープ４を引き出して受け具５に物干しロープ４の係合体６を係合させて、物干しロープ４を室内の壁面間に架け渡す。
【００２８】  そして、操作部材１５を締め付け方向に回動させることにより、物干しロープ４の引き出し方向Ｂへの移動を規制する。
これにより、物干しロープ４に何かを引っ掛けて荷重をかけても、物干しロープ４が引き出し方向Ｂに移動しなくなるので、直接或いはハンガー等を介して物干しロープ４に洗濯物を引っ掛けることができ、室内での物干し作業が可能となる。
【００２９】  また、物干し装置１を使用しない場合には、ユーザは、物干しロープの係合体６を受け具５から取り外してから、操作部材１５を緩める方向に回動させて物干しロープ４の移動規制を解除する。
すると、付勢部材１１により巻き取りリール１０が巻き取り方向に回動し、物干しロープ４がケーシング３の内部に自動的に巻き取られて収納される。
【００３０】  このさい、本実施形態の物干し装置１によれば、ギア機構２５が、付勢部材１１による巻き取りリール１０の巻き取り方向Ａへの回動が妨げられない程度に、巻き取りリール１０とロータリーダンパ２２の回転軸２１とを連動連結するので、物干しロープ４の移動規制を解除した場合でも、物干しロープ４が高速で勢いよく巻き取られるのが防止される。
このため、物干しロープ４をケーシング３内に収納する際に、巻き取り途中の物干しロープ４にユーザの手指等が当たって怪我をするのを未然に防止することができ、安全性に優れた物干し装置１を得ることができる。
【００３１】  また、本実施形態の物干し装置１によれば、ロータリーダンパ２２として、汎用部品として市販されたものを使用しているので、上記のような減速機能を有する物干し装置１を構成するための製作コストを抑えることができる。
また、本実施形態の物干し装置１によれば、ダンパ側ギア２３の直径がリール側ギア２４の直径よりも大きいので、巻き取りリール１０の回転に伴うロータリーダンパ２２の回転数を出来るだけ少なくでき、ロータリーダンパ２２の耐久性を向上することができる。
【００３２】  更に、本実施形態の物干し装置１によれば、巻き取りリール１０の引き出し方向Ｂの回動に対する抵抗が、当該巻き取りリール１０の巻き取り方向Ａの回動に対する抵抗よりも弱いロータリーダンパ２２を採用しているので、出来るだけ小さい力で物干しロープＢを引き出すことができる。
このため、ロータリーダンパ２２を設けたことによって物干し装置１の使い勝手が悪くなるのを、未然に防止することができる。
【００３３】  また、本発明の物干し装置１によれば、ケーシング３の内部のデッドスペースとなっているコーナー部分にロータリーダンパ２２を配置しているので、そのダンパ２２の収納スペースをケーシング３に別途確保する必要がなく、ケーシング３をコンパクト化することができるという利点もある。
【００３４】  なお、本発明は上記実施形態に限定されるものではない。
例えば、上記実施形態では、ギア機構２５が、ダンパ側ギア２３とリール側ギア２４の２つのギアで構成されているが、これらの間に更に１又は複数の中間ギアを介在させる構成であってもよい。
【符号の説明】
【００３５】  １：物干し装置    ２：取付部材    ３：ケーシング    ４：物干しロープ
５：受け具    ６：係合体    １０：巻き取りリール    １１：付勢部材
１２：ロック部材    １４Ｕ，１４Ｌ：ブロック    １５：操作部材
２１：回転軸    ２２：ロータリーダンパ（制動手段）    ２３：ダンパ側ギア
２４：リール側ギア    ２５：ギア機構
【図１】
2013192928.tif 000003
【図２】
2013192928.tif 000004
【図３】
2013192928.tif 000005
【図４】
2013192928.tif 000006